(57)【要約】【課題】他の基地局装置との棲み分け処理を適正に行う。【解決手段】送信部１５２と受信部１２０を作動させるタイミングを規定するタイミング信号を生成するタイミング生成部１７２と、タイミング生成部によって生成されたタイミング信号に基づいて、当該基地局装置１００のモードを送信モードまたは受信モードに切り替え、送信モード時には送信部を作動させる制御信号を送信部に出力し、受信モード時には受信部を作動させる制御信号を受信部に出力する切り替え部１９０と、受信モード時に、周囲の無線周波信号を観測して他の基地局装置から送信された制御チャネルを監視する監視部１７４とを有する。そして、切り替え部は、送信モード時に、制御チャネルの送信タイミングに合わせて、予め定められた割合で、制御信号を受信部に出力する。【選択図】図１
2007074355.tif 000002
【特許請求の範囲】
【請求項１】
移動局装置と時分割多元接続方式により通信する基地局装置において、
無線周波信号を送信するための送信部と、
無線周波信号を受信するための受信部と、
前記送信部と前記受信部を作動させるタイミングを規定するタイミング信号を生成するタイミング生成部と、
前記タイミング生成部によって生成された前記タイミング信号に基づいて、当該基地局装置のモードを送信モードまたは受信モードに切り替え、当該送信モード時には前記送信部を作動させる制御信号を前記送信部に出力し、当該受信モード時には前記受信部を作動させる制御信号を前記受信部に出力する切り替え部と、
前記受信モード時に、周囲の無線周波信号を観測して他の基地局装置から送信された制御チャネルを監視する監視部とを有し、
前記切り替え部は、前記送信モード時に、前記制御チャネルの送信タイミングに合わせて、予め定められた割合で、前記受信部を作動させる前記制御信号を前記受信部に出力する
ことを特徴とする基地局装置。
【請求項２】
請求項１に記載の基地局装置において、
前記切り替え部は、前回の制御チャネルの送信タイミングと次回の制御チャネルの送信タイミングの間隔が１００〜１５０ｍＳの範囲内の予め定められた値となるように、前記受信部を作動させる前記制御信号を前記受信部に出力する
ことを特徴とする基地局装置。
【請求項３】
請求項１に記載の基地局装置において、
前記監視部は、自機の制御チャネルの送信タイミングが他の基地局装置の制御チャネルの送信タイミングと予め定められた閾値以下の間隔になったときに、他の基地局装置との棲み分け処理を実行する
ことを特徴とする基地局装置。
【請求項４】
送信モードと受信モードとを交互に切り替えながら移動局装置と通信する基地局装置によって、当該基地局装置の制御チャネルと他の基地局装置の制御チャネルとの重なりを監視する制御チャネルの重なり監視方法において、
前記送信モード時に、制御チャネルの送信タイミングに合わせて、予め定められた割合で、当該基地局装置のモードを前記送信モードから前記受信モードに強制的に切り替える強制切り替え工程と、
前記強制切り替え工程によって前記受信モードに切り替えられた制御チャネルの送信タイミングを含む、前記受信モード時に、周囲の無線周波信号を観測して他の基地局装置から送信された制御チャネルを監視する監視工程とを有する
ことを特徴とする制御チャネルの重なり監視方法。
【発明の詳細な説明】
【技術分野】
【０００１】
この発明は、他の基地局装置との棲み分け処理を実行するために、自機の制御チャネルと他の基地局装置の制御チャネルとの重なりを監視する、基地局装置、および、制御チャネルの重なり監視方法に関する。
【背景技術】
【０００２】
移動局装置と時分割多元接続（ＴＤＭＡ：Time Division Multiple Access）方式により通信する基地局装置として、例えば、デジタルコードレス電話機の親機がある。デジタルコードレス電話機の親機は、移動局装置である子機とＴＤＭＡ方式により通信する。
【０００３】
デジタルコードレス電話機の親機は、無線通信機構として、送信部と受信部とを備えている。親機の制御部は、時間によって、送信部のＯＮとＯＦＦの動作タイミングを規定するＯＮ信号とＯＦＦ信号および受信部のＯＮとＯＦＦの動作タイミングを規定するＯＮ信号とＯＦＦ信号（以下、これらＯＮ信号とＯＦＦ信号を総称してタイミング信号と称する）を送信部と受信部とに交互に出力する。これにより、親機の制御部は、送信部と受信部とを交互に作動させて、周囲に無線周波信号を送信するモード（以下、送信モードと称する）と周囲から無線周波信号を受信するモード（以下、受信モードと称する）とを交互に実行する。
【０００４】
親機の通信フレームは、通常、４スロット分の送信フレームと４スロット分の受信フレームからなっている。したがって、親機は、通常、４スロット分の送信モードと４スロット分の受信モードとを交互に実行する。なお、送信フレームは、４スロットの中のいずれか１スロットが移動局装置である子機を制御するための制御チャネルの送信に割り当てられている。親機は、制御チャネルの送信に割り当てられたスロット（以下、制御チャネルスロットと称する）時に、制御チャネルを子機に送信する。これにより、親機は、子機との間で無線周波信号の送信タイミングと受信タイミングの同期を行う。
【０００５】
なお、親機の制御部は、親機の制御用に、ＬＳＩ部品として物理的に作り込まれたマイクロコンピュータからなっている。親機の制御部は、モードの切り替えが国際規約に準拠して行われるように、固定された通信フレームを格納している。親機の制御部は、通信フレームに沿って、タイミング信号を送信部と受信部とに交互に出力する。これにより、送信部と受信部が、交互に作動する。このとき、送信部と受信部は交互に作動するため、親機は、送信フレーム時に無線周波信号を受信することができず、また、受信フレーム時に無線周波信号を送信することができなかった。
【０００６】
一方、デジタルコードレス電話機の子機は、親機の通信フレームに同期して、親機の送信モード時に受信モードとなり、かつ、親機の受信モード時に送信モードとなるように、受信モードと送信モードを交互に実行する。これにより、子機は、親機と通信が可能となる。
【０００７】
なお、親機と子機間の同期は、親機が、制御チャネルスロット時に、制御チャネルを周囲に送信するとともに、子機が、親機から送信された制御チャネル（以下、親機の制御チャネルと称する場合もある）を検出し、検出した制御チャネルに基づいて親機の送信モードと受信モードの切り替えタイミングを識別することによって行われる。
【０００８】
このようなデジタルコードレス電話機は、例えばマンションなどのように、多数の家庭が近接する場所で使用される場合がある。この場合、複数の家庭でデジタルコードレス電話機が使用されると、各デジタルコードレス電話機の親機と子機の間で使用される無線ゾーンに重なりが生じる。
【０００９】
各無線ゾーンに重なりが生じると、各親機が独立して作動しているため（すなわち、各親機が他の親機と非同期で作動しているため）、各親機の制御チャネルに重なりが生じるときがある。
【００１０】
このとき、各親機から送信された制御チャネル同士が混信するため、子機は親機の制御チャネルを正常に検出できない。そのため、子機は、親機と同期することができず、親機と正常に発信および着信ができなくなる。したがって、子機は、親機と通信できなくなる。
【００１１】
そこで、従来は、各親機の制御チャネルに重なりが生じないように、例えば、以下の第１または第２の手法が用いられていた。
【００１２】
第１の手法として、各親機が、運用開始時に、他の親機との棲み分け処理を実行する。なお、棲み分け処理とは、自機が送信する制御チャネルと他の親機が送信する制御チャネルとが重ならないように、親機が、制御チャネルスロットを空きスロットに割り当てる処理である。この棲み分け処理は、例えば、以下のようにして行われる。まず、親機は、一定時間、受信モードとなって、周囲から無線周波信号を受信しながら、受信した無線周波信号の受信電界強度を観測する。このとき、１乃至複数の他の親機から送信された制御チャネルが存在する場合に、親機は、無線周波信号の受信電界強度に応じて、他の親機の制御チャネルを検出する。次に、親機は、検出した他の親機の制御チャネルに基づいて他の親機のスロットタイミングを識別する。次に、親機は、識別した他の親機のスロットタイミングに基づいて、周囲の信号状況の中から空きスロットを検出する。なお、他の親機から送信された制御チャネルが存在しない場合に、全てのスロットが、空きスロットになる。最後に、親機は、制御チャネルスロットを空きスロットに割り当てる。このようにして、親機は、棲み分け処理を実行する。各親機は、棲み分け処理が終了すると、運用を開始する。なお、各親機は、空きスロットを検出できない等の理由により、棲み分け処理が終了しない場合に、運用を開始せずに、しばらく待機した後、再度棲み分け処理を実行する。
【００１３】
第２の手法として、各親機が、他の親機から受信した無線周波信号に基づいて、フレーム同期信号を生成し、そのフレーム同期信号に基づいて、子機との間の通信フレームを生成する（例えば、特許文献１参照）。
【特許文献１】特開２００２−１６９７７号公報（段落１〜段落４３、図１）
【発明の開示】
【発明が解決しようとする課題】
【００１４】
しかしながら、従来の基地局装置（ここでは、デジタルコードレス電話機の親機）は、前述の第１または第２の手法を用いた場合であっても、例えば以下の事例１〜４のいずれかに該当する場合に、他の親機との棲み分け処理を適正に行うことができないときがあるという課題があった。
【００１５】
事例１：デジタルコードレス電話機の２台の親機の間で、同時に、棲み分け処理が行われた場合
事例２：デジタルコードレス電話機の２台の親機の基準クロックがずれていた場合      事例３：棲み分け処理中に、他の親機の電波が弱くなっていた場合
事例４：棲み分け処理後に、自身または他の親機の設置場所が変わった場合
【００１６】
これら事例１〜４のいずれかに該当する場合に、各親機の制御チャネルに重なりが生じるときがある。
【００１７】
このとき、親機は、一旦、運用を開始すると、送信モード時に信号を受信することができないので、自身の制御チャネルと他の親機の制御チャネルの重なりを検出できない。そのため、親機は、他の親機との棲み分け処理を適正に行うことができない。
【００１８】
また、このとき、各親機の制御チャネル同士が混信するため、子機は親機の制御チャネルを正常に検出できない。そのため、子機は、親機と同期することができず、親機と正常に発信および着信ができなくなる。したがって、子機は、親機と通信できなくなる。
【００１９】
以上の通り、従来の基地局装置は、前述の第１または第２の手法を用いた場合であっても、他の基地局装置との棲み分け処理を適正に行うことができないときがあるという課題があった。
【００２０】
この発明は、他の基地局装置との棲み分け処理を適正に行うために、自機の制御チャネルと他の基地局装置の制御チャネルの重なりを従来よりも高精度に検出する基地局装置、および、制御チャネルの重なり監視方法を提供することを目的とする。
【課題を解決するための手段】
【００２１】
この出願の装置発明は、移動局装置と時分割多元接続方式により通信する基地局装置に関する。この発明に係る基地局装置は、前述の課題を解決するために、無線周波信号を送信するための送信部と、無線周波信号を受信するための受信部と、送信部と受信部を作動させるタイミングを規定するタイミング信号を生成するタイミング生成部と、タイミング生成部によって生成されたタイミング信号に基づいて、当該基地局装置のモードを送信モードまたは受信モードに切り替え、送信モード時には送信部を作動させる制御信号を送信部に出力し、受信モード時には受信部を作動させる制御信号を受信部に出力する切り替え部と、受信モード時に、周囲の無線周波信号を観測して他の基地局装置から送信された制御チャネルを監視する監視部とを有する。そして、切り替え部は、送信モード時に、制御チャネルの送信タイミングに合わせて、予め定めた割合で、受信部を作動させる制御信号を受信部に出力する。
【００２２】
この装置発明の基地局装置は、切り替え部が、送信モード時に、制御チャネルの送信タイミングに合わせて、予め定められた割合で、受信部を作動させる制御信号（すなわち、ＯＮ信号）を受信部に出力する。これにより、基地局装置の送信モードは、制御チャネルの送信タイミングに合わせて、予め定められた割合で、受信モードに変わる。
【００２３】
また、この出願の方法発明は、送信モードと受信モードとを交互に切り替えながら移動局装置と通信する基地局装置によって、当該基地局装置の制御チャネルの送信タイミングと他の基地局装置の制御チャネルの送信タイミングとの重なりを監視する制御チャネルの重なり監視方法に関する。この発明の制御チャネルの重なり監視方法は、前述の課題を解決するために、送信モード時に、制御チャネルの送信タイミングに合わせて、予め定められた割合で、当該基地局装置のモードを送信モードから受信モードに強制的に切り替える強制切り替え工程と、強制切り替え工程によって受信モードに切り替えられた制御チャネルの送信タイミングを含む、受信モード時に、周囲の無線周波信号を観測して他の基地局装置から送信された制御チャネルを監視する監視工程とを有する。
【００２４】
この方法発明の制御チャネルの監視方法は、送信モード時に、制御チャネルの送信タイミングに合わせて、予め定められた割合で、当該基地局装置のモードを送信モードから受信モードに強制的に切り替える。
【発明の効果】
【００２５】
この発明の基地局装置によれば、切り替え部が、送信モード時に、制御チャネルの送信タイミングに合わせて、予め定められた割合で、受信部を作動させる制御信号（すなわち、ＯＮ信号）を受信部に出力する。これにより、基地局装置の送信モードは、制御チャネルの送信タイミングに合わせて、予め定められた割合で、受信モードに変わる。
【００２６】
例えば、基地局装置は、１回目の制御チャネルの送信タイミングで制御チャネルを移動局装置に送信すると、２回目〜ｎ回目（ｎは予め定めた数）の制御チャネルの送信タイミングで当該基地局装置のモードが送信モードから受信モードに変わる。そして、基地局装置は、本来の受信モードに加え、２回目〜ｎ回目の制御チャネルの送信タイミングでも、他の基地局装置の制御チャネルの監視処理を行う。
【００２７】
したがって、この発明の基地局装置は、自機の制御チャネルと他の基地局装置の制御チャネルの重なりを従来よりも高精度に検出することができる。
【００２８】
その結果、この発明の基地局装置は、他の基地局装置との棲み分け処理を従来よりも適正に行うことができる。
【００２９】
また、この発明の制御チャネルの監視方法によれば、送信モード時に、制御チャネルの送信タイミングに合わせて、予め定められた割合で、当該基地局装置のモードを送信モードから受信モードに強制的に切り替える。これにより、基地局装置の送信モードは、制御チャネルの送信タイミングに合わせて、予め定められた割合で、受信モードに変わる。このような制御チャネルの監視方法は、本来の受信モード時に加え、制御チャネルの送信タイミングでも、他の基地局装置の制御チャネルの監視処理を行うことができる。
【００３０】
したがって、この発明の制御チャネルの監視方法は、自機の制御チャネルと他の基地局装置の制御チャネルの重なりを従来よりも高精度に検出することができる。
【００３１】
その結果、この発明の制御チャネルの監視方法は、他の基地局装置との棲み分け処理を従来よりも適正に行うことができる。
【発明を実施するための最良の形態】
【００３２】
以下に、図を参照してこの発明の実施の形態を説明する。なお、この発明は図示例のみに限定されるものではない。また、各図において、共通する構成要素や同様な構成要素については、同一の符号を付し、それらの重複する説明を省略する。
【００３３】
＜基地局装置（デジタルコードレス電話機の親機）の構成＞
以下に、図１を参照してこの発明の基地局装置の構成を説明する。図１は、基地局装置の内部ブロックを示している。ここでは、基地局装置１００として、デジタルコードレス電話機の親機を例にして説明する。また、移動局装置として、デジタルコードレス電話機の子機を例にして説明する。なお、以下の説明では、「自機」は、「基地局装置（デジタルコードレス電話機の親機）１００」自身を意味している。また、以下の説明では、「他機」は、「自機以外の基地局装置（デジタルコードレス電話機の親機）」を意味している。
【００３４】
なお、この発明の基地局装置は、従来と同じ制御部を用いることを思想としている。これは、制御部は物理的に作り込まれた構成となっており、制御部の構成を変更すると、コストが高騰するとともに、設計が複雑になるので、このような不具合を回避するためである。
【００３５】
デジタルコードレス電話機の親機１００は、アンテナ１１０、高周波スイッチ１１２、受信部１２０、復調部１２２、受信電界強度検出部１２４、デジタル処理部１３０、アナログ処理部１３２、通話部１４０、変調部１５０、送信部１５２、周波数シンセサイザ１６０、制御部１７０、発振器１８０、切り替え部１９０などを有する。これらの構成要素の中で、制御部１７０は、タイミング生成部１７２、監視部１７４、メモリ１７６などを備える。
【００３６】
アンテナ１１０は、無線通話チャネルを介して、周囲との間で無線周波信号（Radio Frequency：ＲＦ信号）を送信または受信する機能手段である。
【００３７】
高周波スイッチ１１２は、無線周波信号の送信または受信の切り換えを行う機能手段である。すなわち、高周波スイッチ１１２は、送信モード時に、送信部１５２から無線周波信号を取得すると、無線周波信号をアンテナ１１０に出力し、受信モード時に、アンテナ１１０から無線周波信号を取得すると、無線周波信号を受信部１２０に出力する機能手段である。
【００３８】
受信部１２０は、アンテナ１１０によって受信された無線周波信号を所定の受信電力レベルに増幅し、増幅した無線周波信号と後述の局部発振周波数信号とをミキシングして受信中間周波数信号（Intermediate Frequency：ＩＦ信号）を生成する機能手段である。
【００３９】
復調部１２２は、受信部１２０によって生成された受信中間周波信号を復調する機能手段である。
【００４０】
受信電界強度検出部１２４は、アンテナ１１０によって受信された無線周波信号の受信電界強度を観測する機能手段である。
【００４１】
デジタル処理部１３０は、復調部１２２によって受信中間周波信号から分離されたデジタル音声信号の中から受信フレームに一致するデジタル音声信号を抽出する機能手段である。また、デジタル処理部１３０は、アナログ処理部１３２によってＡ／Ｄ変換されたデジタル音声信号を送信フレームに挿入して多重化されたデジタル音声信号を生成する機能手段でもある。
【００４２】
アナログ処理部１３２は、受信フレームに一致するデジタル音声信号をＤ／Ａ変換してアナログ音声信号を再生する機能手段である。また、アナログ処理部１３２は、アナログ音声信号をＡ／Ｄ変換してデジタル音声信号を生成する機能手段でもある。
【００４３】
通話部１４０は、音声を入力するマイクや、音声を出力するスピーカ、通話に必要な情報を表示する表示パネル、通話に必要な情報を入力するボタン、ネットワーク６００とアナログ音声信号を送受信するインターフェース（Ｉ／Ｆ）などの、音声や情報を入出力する機能手段である。
【００４４】
変調部１５０は、デジタル処理部１３０からデジタル音声信号を取得すると、デジタル音声信号を変調して送信中間周波信号を生成し、送信部１５２に出力する。
【００４５】
送信部１５２は、変調部１５００によって生成された送信中間周波信号に基づいて無線周波信号を生成する機能手段である。
【００４６】
周波数シンセサイザ１６０は、局部発振周波数信号を生成する機能手段である。なお、局部発振周波数信号は、送信および受信に用いる無線周波信号の周波数（すなわち、無線チャネル周波数）を決定する信号であり、無線チャネル周波数に応じて、制御部１７０によって指定される。
【００４７】
制御部１７０は、親機１００の各部の制御を行う機能手段である。制御部１７０は、従来と同様に、親機１００の制御用に、ＬＳＩ部品として物理的に作り込まれたマイクロコンピュータからなっている。制御部１７０は、発振器１８０によって生成されたクロック信号を動作クロックとし、無線周波信号またはアナログ音声信号による通信を行うための様々な制御を行う。
【００４８】
制御部１７０は、前述の通り、タイミング生成部１７２、監視部１７４、メモリ１７６などを備える。
【００４９】
タイミング生成部１７２は、送信モードと受信モードの切り替えのタイミングを規定するタイミング信号（すなわち、送信部１５２と受信部１２０を作動させるタイミングを規定するタイミング信号）などを生成する機能手段である。タイミング生成部１７２は、発振器１８０によって生成されたクロック信号に基づいて、自機に固有のタイミング信号を生成する。
【００５０】
監視部１７４は、他の親機（以下、他機と称する場合もある）の制御チャネルを監視する機能手段である。
【００５１】
監視部１７４は、以下のようにして、他機の制御チャネルを監視する。すなわち、監視部１７４は、受信モード時に、受信電界強度検出部１２４から無線周波信号の受信電界強度を示す信号を取得し、無線周波信号の受信電界強度を示す信号に基づいて、受信電界強度が所定の閾値を越えているバースト信号を検出する。そして、監視部１７４は、所定の閾値を越えているバースト信号を検出する都度、バースト信号に関する情報をメモリ１７６に順次格納する。次に、監視部１７４は、所定のタイミングで、メモリ１７６からバースト信号に関する情報を読み出し、周期性を伴うバースト信号を検出する。この周期性を伴うバースト信号が、他機の制御チャネルである。次に、監視部１７４は、他機の制御チャネルに基づいて、他機のスロットタイミングを識別する。そして、監視部１７４は、他機の制御チャネルを検出する都度、検出した他機の制御チャネルに関する情報や他機のスロットタイミングに関する情報をメモリ１７６に順次格納する。このようにして、監視部１７４は、他機の制御チャネルを監視する。
【００５２】
また、監視部１７４は、他機との棲み分け処理を実行する棲み分け処理部としても機能する。
【００５３】
監視部１７４は、以下のようにして、他機との棲み分け処理を実行する棲み分け処理を行う。すなわち、監視部１７４は、例えば、一日に１乃至数回、メモリ１７６から他機の制御チャネルに関する情報を読み出して、他機の制御チャネルが存在しないスロット（すなわち、空きスロット）を検出する。次に、監視部１７４は、メモリ１７６から通信フレームに関する情報を読み出して、自機のスロットタイミングを設定する。このとき、監視部１７４は、自機の制御チャネルスロットを空きスロットに割り当てる。そして、監視部１７４は、自機のスロットタイミングに関する情報をメモリ１７６に出力して、メモリ１７６に格納させる。これにより、制御部１７０のタイミング生成部１７２は、メモリ１７６から自機のスロットタイミングに関する情報を読み出して、自機のスロットタイミングに関する情報に基づいて、タイミング信号を生成するようになる。また、監視部１７４は、自機のスロットタイミングに関する情報を切り替え部１９０に出力して、切り替え部１９０に格納させる。これにより、切り替え部１９０は、制御部１７０からタイミング信号を取得すると、タイミング信号と自機のスロットタイミングに関する情報に基づいて、制御信号を生成し、制御信号を送信部１５２または受信部１２０に出力するようになる。なお、制御部１７０のタイミング生成部１７２と切り替え部１９０は、スロットタイミングが異なる。制御部１７０のタイミング生成部１７２のスロットタイミングは、図３（Ａ）のようになり、切り替え部１９０のスロットタイミングは、図３（Ｂ）のようになる。これらのスロットタイミングについては、後述する。このようにして、監視部１７４は、棲み分け処理を行う。
【００５４】
メモリ１７６は、様々な情報を記憶する機能手段である。メモリ１７６は、通信フレームに関する情報や、自機のスロットタイミングに関する情報、他の親機のスロットタイミングに関する情報、空きスロットに関する情報などを記憶する。
【００５５】
発振器１８０は、制御部１７０に供給するクロック信号を生成する機能手段である。発振器１８０は、クロック信号を生成して、制御部１７０に出力する。
【００５６】
切り替え部１９０は、送信モード時にＯＮ信号を送信部１５２に出力し、受信モード時にＯＮ信号を受信部１２０に出力することにより、自機のモードを送信モードまたは受信モードに切り替える機能手段である。切り替え部１９０は、通信フレームに関する情報や、自機のスロットタイミングに関する情報などを記憶する機能を有している。切り替え部１９０は、制御部１７０から取得するタイミング信号と切り替え部１９０自身に予め格納された自機のタイムスロットに関する情報に基づいて、制御信号を生成する。そして、切り替え部１９０は、制御信号を送信部１５２または受信部１２０に出力して、自機のモードを送信モードまたは受信モードに物理的に切り替える。なお、切り替え部１９０は、送信モード時に、ＯＮ信号を送信部１５２に出力するとともに、ＯＦＦ信号を受信部１２０に出力し、受信モード時に、ＯＮ信号を受信部１２０に出力するとともに、ＯＦＦ信号を送信部１５２に出力ことになる。
【００５７】
なお、切り替え部１９０は、送信モード時に、制御チャネルの送信タイミングに合わせて、予め定められた割合で、受信部１２０を作動させる制御信号（すなわち、ＯＮ信号）を受信部１２０に出力する。これにより、親機１００の送信モードは、制御チャネルの送信タイミングに合わせて、予め定められた割合で、受信モードに変わる。
【００５８】
＜基地局装置（デジタルコードレス電話機の親機）の動作＞
以下に、図２と図３を参照してこの発明に係る基地局装置（すなわち、デジタルコードレス電話機の親機）１００の主な動作を説明する。図２は、親機１００の動作フローチャートを示している。また、図３は、親機１００の動作例を示している。この発明に係る親機１００は、切り替え部１９０の動作が、大きな特徴となっている。
【００５９】
図２に示すように、親機１００は、運用開始前に、一定時間、他の親機の制御チャネルの監視処理を行う（Ｓ１０５）。
【００６０】
このとき、まず、親機１００の制御部１７０は、タイミング信号を切り替え部１９０に出力する。
【００６１】
切り替え部１９０は、制御部１７０からタイミング信号を取得すると、タイミング信号と切り替え部１９０自身に格納されている自機のタイムスロットに関する情報に基づいて、制御信号を生成する。そして、切り替え部１９０は、制御信号を受信部１２０と高周波スイッチ１１２に出力する。この制御信号に応じて、受信部１２０が作動して、親機１００のモードが受信モードとなり、高周波スイッチ１１２がアンテナ１１０によって受信された無線周波信号を受信部１２０に出力する。そして、受信部１２０は、高周波スイッチ１１２を介してアンテナ１１０から無線周波信号を取得すると、無線周波信号を所定の受信電力レベルに増幅して、増幅した無線周波信号を受信電界強度検出部１２４に出力する。
【００６２】
受信電界強度検出部１２４は、受信部１２０から無線周波信号を取得すると、無線周波信号の受信電界強度を観測する。この無線周波信号は、子機または他の親機から送信された信号である。受信電界強度検出部１２４は、無線周波信号の受信電界強度を検出して、検出した受信電界強度を示す信号を制御部１７０に出力する。
【００６３】
制御部１７０の監視部１７４は、受信電界強度検出部１２４から無線周波信号の受信電界強度を示す信号を取得し、無線周波信号の受信電界強度を示す信号に基づいて、周期性を伴うバースト信号（すなわち、他機の制御チャネル）を検出する。次に、監視部１７４は、他機の制御チャネルに基づいて、他機のスロットタイミングを識別する。そして、監視部１７４は、他機の制御チャネルを検出する都度、検出した他機の制御チャネルに関する情報や他機のスロットタイミングに関する情報をメモリ１７６に順次格納する。
【００６４】
Ｓ１０５の後、親機１００は、制御部１７０によって所定時間が経過したか否かを判定する（Ｓ１１０）。ここで、制御部１７０によって所定時間が経過していると判定された場合に、工程はＳ１１５に進み、制御部１７０によって所定時間が経過していないと判定された場合に、工程はＳ１０５に戻る。
【００６５】
Ｓ１１０で、制御部１７０によって所定時間が経過していると判定された場合に、親機１００は、空きスロットの検出処理を行う（Ｓ１１５）。
【００６６】
このとき、制御部１７０の監視部１７４は、メモリ１７６からＬＣＣＨインターバルバースト信号の間欠送信周期を読み出し、周囲の親機からＬＣＣＨインターバルバースト信号が送信されていないタイミング（すなわち、空きスロット）を検出する。そして、監視部１７４は、空きスロットに関する情報をメモリ１７６に格納する。また、監視部１７４は、メモリ１７６から通信フレームに関する情報を読み出して、他の親機の制御チャネルを検出し、検出した他の親機の制御チャネルに基づいて他の親機のスロットタイミングを識別する。そして、監視部１７４は、他の親機のスロットタイミングに関する情報をメモリ１７６に格納する。
【００６７】
Ｓ１１５の後、親機１００は、自機のタイムスロットの決定処理を行うとともに、強制切り替えのタイミングを設定する（Ｓ１２０）。これにより、親機１００は、他機との棲み分け処理を実行する。
【００６８】
このとき、制御部１７０の監視部１７４は、メモリ１７６から空きスロットに関する情報を読み出して、空きスロットを自機の制御チャネルに割り当てて、自機のタイムスロットを決定する。そして、監視部１７４は、自機のスロットタイミングに関する情報を生成してメモリ１７６に格納する。これにより、制御部１７０は、運用開始後の動作において、メモリ１７６から自機のスロットタイミングに関する情報を読み出し、その情報に基づいて、タイミング信号を生成するようになる。
【００６９】
また、親機１００の制御部１７０は、自機のスロットタイミングに関する情報を切り替え部１９０に出力し、自機のスロットタイミングに関する情報を切り替え部１９０に格納させる。
【００７０】
なお、このとき、切り替え部１９０は、制御チャネルの送信タイミングが、予め定められた割合で、受信モードになるように、自機のスロットタイミングに関する情報を書き換えて格納する。その結果、親機１００の各部は、図３に示すタイムスロットに沿って、動作することになる。
【００７１】
図３は、前述の通り、親機１００の動作例を示している。図３（Ａ）は、制御部１７０の動作タイミングを示しており、図３（Ｂ）は、切り替え部１９０の動作タイミングを示しており、図３（Ｃ）は、制御チャネルの送信タイミングを示している。図３中、ｔは、一通信フレームの期間を示している。期間ｔの値は、約５ｍＳである。なお、通信フレームは、通常、４スロット分の送信フレームと４スロット分の受信フレームからなっている。また、送信フレームは、４スロットの中のいずれか１スロットが制御チャネルスロットに割り当てられている。また、Ｔは、送信部１５２によって送信される前回の制御チャネルと次回の制御チャネルの間隔を示している。間隔Ｔの値は、約１００〜１５０ｍＳの範囲内の予め定められた値である。親機１００は、制御チャネルを１００〜１５０ｍＳの範囲内の定められた間隔で子機に送信する。この間隔は従来と同じであるので、親機１００の各部は、従来と同様に、何ら不具合を生じることなく作動することができる。また、ＴＡは、親機１００による他機との棲み分け処理実行期間を示している。親機１００の監視部１７４は、期間ＴＡで、他機との棲み分け処理を実行する。また、ｔａは、子機による親機１００の検出処理実行期間を示している。子機は、期間Ｔａで、親機１００が送信した制御チャネルを検出して、親機１００の送信モードと受信モードのタイムスロットを識別する。そして、子機は、親機の送信モード時に受信モードとなり、かつ、親機の受信モード時に送信モードとなるように、受信モードと送信モードを交互に実行する。
【００７２】
制御部１７０のタイミング生成部１７２は、図３（Ａ）に示すタイムスロットに沿うタイミング信号を生成して、切り替え部１９０に出力する。
【００７３】
これに対して、切り替え部１９０は、制御部１７０のタイミング生成部１７２からタイミング信号を取得すると、図３（Ｂ）に示すタイムスロットに沿う制御信号を生成し、制御信号を送信部１５２または受信部１２０に出力する。このとき、切り替え部１９０は、制御チャネルの送信タイミングに合わせて、予め定められた割合で、受信部１２０を作動させる制御信号（すなわち、ＯＮ信号）を受信部１２０に出力する。これにより、図３（Ｂ）の点線で示すスロットが、強制的に、送信モードから受信モードに変わる。
【００７４】
その結果、送信部１５２は、図３（Ｃ）に示すタイムスロットに沿って、制御チャネルを子機に送信することになる。
【００７５】
したがって、親機１００は、例えば、１回目の制御チャネルの送信タイミングで制御チャネルを子機に送信すると、２回目〜ｎ回目（ｎは予め定めた数）の制御チャネルの送信タイミングで自機のモードが送信モードから受信モードに変わる。そして、親機１００は、本来の受信モード時に加え、２回目〜ｎ回目の制御チャネルの送信タイミングでも、他機の制御チャネルの監視処理を行う。そのため、親機１００は、受信モードを実行する時間が増加し、監視部１７４による他機の制御チャネルを監視する時間が増加する。
【００７６】
したがって、制御部１７０は、Ｓ１２０で、自機のスロットタイミングに関する情報を切り替え部１９０に出力することにより、切り替え部１９０に強制切り替えのタイミングを設定している。
【００７７】
Ｓ１２０の後、親機１００は、運用を開始し、送信モードまたは受信モードの切り替え処理を行う（Ｓ１２５）。
【００７８】
このとき、まず、親機１００の制御部１７０が、図３（Ａ）に示すタイムスロットに沿うタイミング信号を切り替え部１９０に出力する。これにより、親機１００は、運用を開始する。次に、親機１００の切り替え部１９０は、制御部１７０からタイミング信号を取得すると、図３（Ｂ）に示すタイムスロットに沿う制御信号を生成して、制御信号を送信部１５２と受信部１２０と高周波スイッチ１１２に出力する。これにより、親機１００は、自機のモードを送信モードまたは受信モードに切り替える。
【００７９】
Ｓ１２５の後、親機１００は、送信／受信（監視）処理を交互に繰り返し行う（Ｓ１３０）。
【００８０】
このとき、親機１００の制御部１７０は、送信モードと受信モードを交互に繰り返し切り替わりながら通信処理を実行するとともに、この通信処理と並行して、受信モード時に、他機の制御チャネルの監視処理を実行する。なお、通信処理時の動作については、後述する。
【００８１】
Ｓ１３０の後、親機１００は、制御部１７０によって他機の制御チャネルが検出されたか否かを判定する（Ｓ１３５）。ここで、制御部１７０によって他機の制御チャネルが検出されたと判定された場合に、工程はＳ１４０に進み、制御部１７０によって他機の制御チャネルが検出されていないと判定された場合に、工程はＳ１２５に戻る。
【００８２】
Ｓ１３５で、制御部１７０によって他機の制御チャネルが検出されたと判定された場合に、親機１００は、制御部１７０（具体的には、監視部１７４）によって自機と他機の制御チャネルの間隔が閾値以上か否かを判定する（Ｓ１４０）。ここで、制御部１７０によって自機と他機の制御チャネルの間隔が閾値以上であると判定された場合に、工程はＳ１４５に進み、制御部１７０によって自機と他機の制御チャネルの間隔が閾値未満であると判定された場合に、工程はＳ１１５に戻る。なお、工程がＳ１１５に戻った場合、親機１００は、再び、他機との棲み分け処理を実行する。これにより、親機１００は、自機の制御チャネルが他機の制御チャネルと混信するのを防止することができる。そのため、親機１００は、子機を常に正常に作動させることができる。
【００８３】
Ｓ１４０の後、親機１００は、制御部１７０によって電源が切断されたか否かを判定する（Ｓ１４５）。ここで、制御部１７０によって電源が切断されたと判定された場合に、工程は終了し、制御部１７０によって電源が切断されていないと判定された場合に、工程はＳ１２５に戻る。
【００８４】
親機１００の主な動作は、以上の通りである。
【００８５】
なお、Ｓ１３０における通信処理時の各部の動作は、以下の通りである。
【００８６】
まず、発振器１８０は、クロック信号を生成して、制御部１７０に出力する。
【００８７】
制御部１７０のタイミング生成部１７２は、クロック信号に基づいて、図３（Ａ）に示すタイムスロットに沿うタイミング信号を生成して、切り替え部１９０に出力する。また、制御部１７０は、クロック信号に基づいて、フレーム同期信号を生成して、デジタル処理部１３０に出力する。
【００８８】
切り替え部１９０は、制御部１７０のタイミング生成部１７２からタイミング信号を取得すると、図３（Ｂ）に示すタイムスロットに沿う制御信号を生成し、制御信号を送信部１５２と受信部１２０と高周波スイッチ１１２に出力する。これにより、切り替え部１９０は、自機のモードを送信モードまたは受信モードに設定する。
【００８９】
送信モードでの各部の動作は、以下の通りである。
【００９０】
まず、通話部１４０が、例えば、電話回線を介してネットワーク６００からアナログ音声信号を受信したとする。すると、通話部１４０は、アナログ音声信号をアナログ処理部１３２に出力する。
【００９１】
アナログ処理部１３２は、通話部１４０からアナログ音声信号を取得すると、アナログ音声信号をＡ／Ｄ変換してデジタル音声信号を生成し、デジタル処理部１３０に出力する。
【００９２】
デジタル処理部１３０は、制御部１７０からフレーム同期信号を取得するとともに、アナログ処理部１３２からデジタル音声信号を取得する。そして、デジタル処理部１３０は、フレーム同期信号に基づいて、デジタル音声信号を送信フレームに挿入して多重化されたデジタル音声信号を生成し、変調部１５０に出力する。
【００９３】
変調部１５０は、デジタル処理部１３０からデジタル音声信号を取得すると、デジタル音声信号を変調して送信中間周波信号を生成し、送信部１５２に出力する。
【００９４】
送信部１５２は、変調部１５０から送信中間周波信号を取得するとともに、周波数シンセサイザ１６０から送信用の局部発振周波数信号を取得し、送信中間周波信号と送信用の局部発振周波数信号とをミキシングして無線周波信号を生成する。そして、送信部１５２は、無線周波信号を所定の送信電力レベルに増幅して、高周波スイッチ１１２に出力する。
【００９５】
高周波スイッチ１１２は、送信部１５２から無線周波信号を取得すると、無線周波信号をアンテナ１１０に出力する。
【００９６】
アンテナ１１０は、高周波スイッチ１１２から無線周波信号を取得すると、無線通話チャネルを介して、周囲（すなわち、子機）に無線周波信号を送信する。
【００９７】
送信モードでの各部の動作は、以上の通りである。
【００９８】
一方、受信モードでの各部の動作は、以下の通りである。
【００９９】
まず、アンテナ１１０が、無線通話チャネルを介して、周囲（すなわち、子機または他の親機）から無線周波信号を受信したとする。すると、アンテナ１１０は、無線周波信号を高周波スイッチ１１２に出力する。
【０１００】
高周波スイッチ１１２は、アンテナ１１０から無線周波信号を取得すると、無線周波信号を受信部１２０に出力する。
【０１０１】
受信部１２０は、高周波スイッチ１１２を介してアンテナ１１０から無線周波信号を取得すると、無線周波信号を所定の受信電力レベルに増幅する。そして、受信部１２０は、増幅した無線周波信号と周波数シンセサイザ１６０から出力される受信用の局部発振周波数信号とをミキシングして受信中間周波数信号を生成し、その受信中間周波信号を復調部１２２に出力する。なお、このとき、受信部１２０は、増幅した無線周波信号を受信電界強度検出部１２４に出力する。これにより、親機１００は、他機の制御チャネルの監視処理を実行することになる。
【０１０２】
復調部１２２は、受信部１２０から受信中間周波信号を取得すると、受信中間周波信号を復調し、さらに、受信中間周波信号を通信制御信号とデジタル音声信号とに分離して、通信制御信号とデジタル音声信号をデジタル処理部１３０に出力する。なお、このデジタル音声信号は、複数の音声信号が時分割多重されている場合がある。
【０１０３】
デジタル処理部１３０は、制御部１７０からフレーム同期信号を取得するとともに、復調部１２２からデジタル音声信号を取得する。そして、デジタル処理部１３０は、複数の音声信号が時分割多重されている場合に、フレーム同期信号に基づいて、デジタル音声信号の中から個々のデジタル音声信号を抽出してアナログ処理部１３２に出力する。
【０１０４】
アナログ処理部１３２は、デジタル処理部１３０から個々のデジタル音声信号を取得すると、個々のデジタル音声信号をＤ／Ａ変換してアナログ音声信号を再生し、通話部１４０に出力する。
【０１０５】
通話部１４０は、アナログ処理部１３２からアナログ音声信号を取得すると、例えば、電話回線を介してネットワーク６００に送信する。
【０１０６】
受信モードでの各部の動作は、以上の通りである。
【０１０７】
なお、親機１００は、前述の通り、受信モード時に、他機の制御チャネルの監視処理を実行する。監視処理時の各部の動作は、以下の通りである。
【０１０８】
受信部１２０は、高周波スイッチ１１２を介してアンテナ１１０から無線周波信号を取得すると、無線周波信号を所定の受信電力レベルに増幅する。そして、受信部１２０は、増幅した無線周波信号を受信電界強度検出部１２４に出力する。
【０１０９】
受信電界強度検出部１２４は、受信部１２０から無線周波信号を取得すると、無線周波信号の受信電界強度を観測する。この無線周波信号は、子機または他の親機から送信された信号である。受信電界強度検出部１２４は、無線周波信号の受信電界強度を検出して、検出した受信電界強度を示す信号を制御部１７０に出力する。
【０１１０】
制御部１７０の監視部１７４は、受信電界強度検出部１２４から受信電界強度を示す信号を取得すると、受信電界強度やその強度を検出したタイミングによって他の親機の制御チャネルを検出し、他機の制御チャネルを監視する。
【０１１１】
監視処理時の各部の動作は、以下の通りである。
【０１１２】
このようにして、親機１００の制御部１７０は、送信モードと受信モードを交互に繰り返しながら通信処理を実行するとともに、この通信処理と並行して、受信モード時に、他機の制御チャネルの監視処理を実行する。
【０１１３】
Ｓ１３０における通信処理時の各部の動作は、以上の通りである。
【０１１４】
このような親機１００は、切り替え部１９０を設けることにより、制御部の構成を変更することなく、簡易な構成で、制御チャネルの送信タイミングに合わせて、他機の制御チャネルを監視することができる。
【０１１５】
以上の通り、この発明に係る基地局装置は、送信モード時に、制御チャネルの送信タイミングに合わせて、予め定められた割合で、当該基地局装置のモードを送信モードから受信モードに切り替える。そのため、基地局装置は、運用開始後であっても、本来の受信モード時に加え、制御チャネルの送信タイミングでも、他の基地局装置の制御チャネルを検出することができる。そのため、基地局装置は、自機の制御チャネルと他の基地局装置の制御チャネルの重なりを従来よりも高精度に検出することができる。
【０１１６】
このような基地局装置は、自機の制御チャネルと他の基地局装置の制御チャネルとの重なりを検出したときに、再度、他の基地局装置との棲み分け処理を実行する。または、基地局装置は、自機の制御チャネルの送信タイミングが他の基地局装置の制御チャネルの送信タイミングと予め定められた閾値以下の間隔になったときに、再度、他の基地局装置との棲み分け処理を実行する。これにより、基地局装置は、自機の制御チャネルと他の基地局装置の制御チャネルの重なりを解消することができる。
【０１１７】
その結果、基地局装置は、他の基地局装置との棲み分け処理を従来よりも適正に行うことができる。
【産業上の利用可能性】
【０１１８】
この発明は、デジタルコードレス電話機の親機に限らず、移動局装置と通信するあらゆる基地局装置に利用することができる。
【図面の簡単な説明】
【０１１９】
【図１】この発明に係る基地局装置の構成を示す図である。
【図２】この発明に係る基地局装置の動作フローチャートである。
【図３】この発明に係る基地局装置の動作例を示す図である。
【符号の説明】
【０１２０】
１００    …基地局装置（デジタルコードレス電話機の親機）
１１０    …アンテナ
１１２    …高周波スイッチ
１２０    …受信部
１２２    …復調部
１２４    …受信電界強度検出部
１３０    …デジタル処理部
１３２    …アナログ処理部
１４０    …通話部（マイク，スピーカ，Ｉ／Ｆ）
１５０    …変調部
１５２    …送信部
１６０    …周波数シンセサイザ
１７０    …制御部
１７２    …タイミング生成部
１７４    …監視部（棲み分け処理部）
１７６    …メモリ
１８０    …発振器
１９０    …切り替え部
６００    …ネットワーク
【図１】
2007074355.tif 000003
【図２】
2007074355.tif 000004
【図３】
2007074355.tif 000005